(57)【要約】【課題】使用中のリモコン装置が電池切れになりそうな場合に、予備のリモコン装置とカラオケ装置とのペアリングを容易に行うことができるサーバ装置を提供する。【解決手段】稼働端末がカラオケ装置と通信するためのペアリング情報にリモコン識別情報を関連付けた稼働端末通信情報、及び予備端末がサーバ装置と通信するためのアドレス情報にリモコン識別情報を関連付けた予備端末通信情報を管理する情報管理部、稼働端末から電池残量が少ない旨の交換要求信号を受信した場合、予備端末に対し、当該稼働端末のペアリング情報を送信する第１の情報送信部、稼働端末がペアリングされているカラオケ装置に対し、予備端末のリモコン識別情報を送信する第２の情報送信部、稼働端末のペアリング情報を送信した場合、情報管理部で管理されている稼働端末のペアリング情報に関連付けられているリモコン識別情報を、予備端末のリモコン識別情報に変更することで稼働端末通信情報を更新する更新処理部を有するサーバ装置。【選択図】図６
2019191471.tif 000002
【特許請求の範囲】
【請求項１】
あるカラオケ装置とペアリングされ、利用可能となっている稼働端末、及びいずれのカラオケ装置ともペアリングされていない予備端末を含む複数のリモコン装置と前記あるカラオケ装置を管理するサーバ装置であって、
前記稼働端末がカラオケ装置と通信するためのペアリング情報に、当該稼働端末を識別するためのリモコン識別情報を関連付けた稼働端末通信情報、及び前記予備端末がサーバ装置と通信するためのアドレス情報に、当該予備端末を識別するためのリモコン識別情報を関連付けた予備端末通信情報を管理する情報管理部と、
前記稼働端末から電池残量が少ない旨の交換要求信号を受信した場合、前記予備端末に対し、当該稼働端末のペアリング情報を送信する第１の情報送信部と、
前記稼働端末がペアリングされているカラオケ装置に対し、前記予備端末のリモコン識別情報を送信する第２の情報送信部と、
前記稼働端末のペアリング情報を送信した場合、前記情報管理部で管理されている前記稼働端末のペアリング情報に関連付けられているリモコン識別情報を、前記予備端末のリモコン識別情報に変更することで前記稼働端末通信情報を更新する更新処理部と、
を有するサーバ装置。
【請求項２】
前記第１の情報送信部は、前記交換要求信号を送信した稼働端末に対し、前記予備端末のアドレス情報を送信し、
前記更新処理部は、前記予備端末のアドレス情報を送信した場合、前記情報管理部で管理されている前記予備端末のアドレス情報に関連付けられているリモコン識別情報を当該稼働端末のリモコン識別情報に変更することで前記予備端末通信情報を更新することを特徴とする請求項１記載のサーバ装置。
【請求項３】
前記ペアリング情報または前記アドレス情報が送信された各リモコン装置に対し、通信可能な状態にあるかを確認するためのテスト信号を送信し、各リモコン装置から返信があった場合に通信可能な状態にあると判定する判定部を有し、
前記更新処理部は、通信可能な状態にあると判定された場合に、前記稼働端末通信情報または前記予備端末通信情報を更新することを特徴とする請求項２記載のサーバ装置。
【請求項４】
あるカラオケ装置とペアリングされ、利用可能となっている稼働端末、及びいずれのカラオケ装置ともペアリングされていない予備端末を含む複数のリモコン装置と、各リモコン装置と前記あるカラオケ装置を管理するサーバ装置とを有するペアリングシステムであって、
前記複数のリモコン装置は、
前記稼働端末がカラオケ装置と通信するためのペアリング情報に、当該稼働端末を識別するためのリモコン識別情報を関連付けた稼働端末通信情報、または前記予備端末がサーバ装置と通信するためのアドレス情報に、当該予備端末を識別するためのリモコン識別情報を関連付けた予備端末通信情報のいずれかを記憶する情報記憶部と、
電池残量が少ない場合、その旨の交換要求信号をサーバ装置に対して送信する信号送信部と、
前記サーバ装置から受信した各種情報に基づいて、前記情報記憶部に記憶されている情報を変更する変更処理部と、
を有し、
前記サーバ装置は、
前記稼働端末通信情報及び前記予備端末通信情報を管理する情報管理部と、
前記稼働端末から電池残量が少ない旨の交換要求信号を受信した場合、前記予備端末に対し、当該稼働端末のペアリング情報を送信する第１の情報送信部と、
前記稼働端末がペアリングされているカラオケ装置に対し、前記予備端末のリモコン識別情報を送信する第２の情報送信部と、
前記稼働端末のペアリング情報を送信した場合、前記情報管理部で管理されている前記稼働端末のペアリング情報に関連付けられているリモコン識別情報を、前記予備端末のリモコン識別情報に変更することで前記稼働端末通信情報を更新する更新処理部と、
を有するペアリングシステム。
【発明の詳細な説明】
【技術分野】
【０００１】
本発明はサーバ装置、及びペアリングシステムに関する。
【背景技術】
【０００２】
カラオケ装置に付属するリモコン装置は多機能化が進んでいる。具体的に、リモコン装置は、カラオケ歌唱する楽曲の検索や予約に利用するだけでなく、カラオケ歌唱を行う利用者を撮影した動画を再生したり、カラオケ演奏される楽曲の歌詞テロップを表示したりできる。
【０００３】
リモコン装置の多機能化に際しては、カラオケ装置とペアリングを行う必要がある。
【０００４】
たとえば、特許文献１には、無線端末（リモコン装置）が特定のカラオケ装置に対して自己のＩＤを赤外線信号として送信し、カラオケ装置が受信した無線端末のＩＤを含む確認メッセージをネットワーク上にブロードキャストし、無線端末が自己のＩＤを含む確認メッセージをカラオケ装置から受信したとき、そのカラオケ装置を通信相手のカラオケ装置として登録し、このカラオケ装置を宛先とする確認メッセージを送信し、カラオケ装置が自己を宛先とする確認メッセージを無線端末から受信したとき、この無線端末を通信相手の無線端末として登録することでペアリングを行う技術が開示されている。
【０００５】
また、特許文献２には、後から参加した多機能携帯端末が、速やかにカラオケ装置とペアリングできるように、既にペアリング済みの他の多機能携帯端末にペアリング用の二次元コードを表示させ、当該二次元コードを後から参加した多機能端末に読み込ませることで、カラオケ装置とのペアリングを行う技術が開示されている。
【先行技術文献】
【特許文献】
【０００６】
【特許文献１】特開２００６−２６１８０７号公報
【特許文献２】特開２０１５−５５７５３号公報
【発明の概要】
【発明が解決しようとする課題】
【０００７】
ところで、カラオケ装置とペアリングされているリモコン装置の充電が不十分な場合、使用途中に電池が切れてしまい、リモコン装置を使用できなくなることがある。
【０００８】
このような場合、カラオケ店舗の従業員は、使用できなくなったリモコン装置をフロントに備え付けの予備のリモコン装置と交換し、当該予備のリモコン装置とカラオケ装置とをペアリングする作業を行う必要があった。また、ペアリングの作業中、カラオケ装置の利用者はリモコン装置を使用した楽曲予約等が行えないため、カラオケ歌唱を十分に楽しむことができない。
【０００９】
本発明の目的は、使用中のリモコン装置が電池切れになりそうな場合に、予備のリモコン装置とカラオケ装置とのペアリングを容易に行うことができるサーバ装置及びペアリングシステムを提供することにある。
【課題を解決するための手段】
【００１０】
上記目的を達成するための一の発明は、あるカラオケ装置とペアリングされ、利用可能となっている稼働端末、及びいずれのカラオケ装置ともペアリングされていない予備端末を含む複数のリモコン装置と前記あるカラオケ装置を管理するサーバ装置であって、前記稼働端末がカラオケ装置と通信するためのペアリング情報に、当該稼働端末を識別するためのリモコン識別情報を関連付けた稼働端末通信情報、及び前記予備端末がサーバ装置と通信するためのアドレス情報に、当該予備端末を識別するためのリモコン識別情報を関連付けた予備端末通信情報を管理する情報管理部と、前記稼働端末から電池残量が少ない旨の交換要求信号を受信した場合、前記予備端末に対し、当該稼働端末のペアリング情報を送信する第１の情報送信部と、前記稼働端末がペアリングされているカラオケ装置に対し、前記予備端末のリモコン識別情報を送信する第２の情報送信部と、前記稼働端末のペアリング情報を送信した場合、前記情報管理部で管理されている前記稼働端末のペアリング情報に関連付けられているリモコン識別情報を、前記予備端末のリモコン識別情報に変更することで前記稼働端末通信情報を更新する更新処理部と、を有するサーバ装置である。
本発明の他の特徴については、後述する明細書及び図面の記載により明らかにする。
【発明の効果】
【００１１】
本発明によれば、使用中のリモコン装置が電池切れになりそうな場合に、予備のリモコン装置とカラオケ装置とのペアリングを容易に行うことができる。
【図面の簡単な説明】
【００１２】
【図１】実施形態に係るペアリングシステムの概略を示す図である。
【図２】実施形態に係るリモコン装置を示す図である。
【図３】実施形態に係るサーバ装置を示す図である。
【図４】実施形態に係るサーバ装置が記憶する情報を示す図である。
【図５】実施形態に係るサーバ装置が記憶する情報を示す図である。
【図６】実施形態に係るペアリングシステムの処理を示すフローチャートである。
【図７】変形例に係るサーバ装置を示す図である。
【発明を実施するための形態】
【００１３】
＜実施形態＞
図１〜図６を参照して、実施形態に係るペアリングシステムについて説明する。
【００１４】
＝＝ペアリングシステム＝＝
図１に示すように、本実施形態に係るペアリングシステム１は、複数のリモコン装置、及びサーバ装置Ｓを含む。
【００１５】
サーバ装置Ｓは、各リモコン装置及び各カラオケ装置を管理する。サーバ装置Ｓと、各リモコン装置及び各カラオケ装置とは、ネットワークＮを介して通信可能となっている。ネットワークＮは、たとえば公衆電話回線網やインターネット回線等の伝送路である。
【００１６】
各カラオケ装置は、楽曲のカラオケ演奏、及び利用者がカラオケ歌唱を行うための装置である。各カラオケ装置は、利用者の歌唱音声を集音するマイク、カラオケ演奏音を放音するスピーカ、歌詞テロップ等を表示させるモニタ等（いずれも図示なし）を備える。図１は、カラオケルームＫＲ１〜ＫＲ３に、カラオケ装置Ｋ１〜Ｋ３が設置されている例を示している。
【００１７】
複数のリモコン装置は、あるカラオケ装置とペアリングされ、利用可能となっている稼働端末、及びいずれのカラオケ装置ともペアリングされていない予備端末を含む。
【００１８】
図１には、リモコン装置Ｒ１〜Ｒ３及びリモコン装置Ｒｗの４つのリモコン装置を示している。図１において、リモコン装置Ｒ１〜Ｒ３が「稼働端末」に相当し、リモコン装置Ｒｗが「予備端末」に相当する。
【００１９】
リモコン装置Ｒ１〜Ｒ３は、カラオケ装置Ｋ１〜Ｋ３とペアリングされ、カラオケルームＫＲ１〜ＫＲ３で利用可能となっている。
【００２０】
ペアリングは公知の手法を利用することができる。たとえば、リモコン装置Ｒ１は、カラオケ装置Ｋ１からカラオケ装置Ｋ１の識別情報（カラオケＩＤ）及びカラオケ装置Ｋ１のＩＰアドレス（カラオケＩＰアドレス）を入手し、自己のＩＰアドレス（リモコンＩＰアドレス）を含むペアリング情報を作成する。そして、リモコン装置Ｒ１は、当該ペアリング情報に、自己の識別情報（リモコンＩＤ）を関連付けた稼働端末通信情報をサーバ装置Ｓに送信する。
【００２１】
サーバ装置Ｓは、リモコン装置Ｒ１から受信した稼働端末通信情報を管理し、且つペアリング情報に含まれるカラオケＩＤ及びカラオケＩＰアドレスに基づいて、カラオケ装置Ｋ１に稼働端末通信情報を送信する。このような処理により、リモコン装置Ｒ１とカラオケ装置Ｋ１のペアリングが完了する。
【００２２】
一方、リモコン装置Ｒｗは、フロントＦに設置されている。リモコン装置Ｒｗは、カラオケ店舗に設置されているいずれのカラオケ装置ともペアリングされていない。なお、フロントＦにおいて、リモコン装置Ｒｗは、満充電の状態となるよう充電器（図示なし）に接続されている。
【００２３】
リモコン装置Ｒｗは、サーバ装置Ｓと通信可能となっている。たとえば、リモコン装置Ｒｗは、リモコン装置Ｒｗがサーバ装置Ｓと通信するためのアドレス情報（リモコンＩＰアドレス）に、自己の識別情報（リモコンＩＤ）を関連付けた予備端末通信情報をサーバ装置Ｓに送信する。
【００２４】
サーバ装置Ｓは、リモコン装置Ｒｗから受信した予備端末通信情報を管理する。このような処理により、リモコン装置Ｒｗはサーバ装置Ｓと通信可能となる。
【００２５】
なお、図１では、予備端末としてリモコン装置Ｒｗが一台設置されている例を示しているが、フロントＦにおいて複数の予備端末が設置されていてもよい。或いは、一のカラオケルームにおいて、同時に使用可能な複数の稼働端末があってもよい。
【００２６】
＝＝リモコン装置＝＝
図２はリモコン装置Ｒ１のハードウェア構成例を示す図である。ここではリモコン装置Ｒ１について説明するが、他のリモコン装置も同様の構成を有する。リモコン装置Ｒ１は、記憶部１０、通信部１１、表示部１２、操作部１３、及び制御部１４を備える。各構成はインターフェース（図示なし）を介してバスＢに接続されている。
【００２７】
［記憶部］
記憶部１０は、各種のデータを記憶する大容量の記憶装置である。本実施形態における記憶部１０の記憶領域の一部は、情報記憶部１０ａとして機能する。
【００２８】
（情報記憶部）
情報記憶部１０ａは、稼働端末がカラオケ装置と通信するためのペアリング情報に、当該稼働端末を識別するためのリモコン識別情報を関連付けた稼働端末通信情報、または予備端末がサーバ装置と通信するためのアドレス情報に、当該予備端末を識別するためのリモコン識別情報を関連付けた予備端末通信情報のいずれかを記憶する。
【００２９】
上述の通り、リモコン装置Ｒ１とカラオケ装置Ｋ１とはペアリングされている。この場合、情報記憶部１０ａは、ペアリング情報であるカラオケ装置Ｋ１のカラオケＩＤ、カラオケＩＰアドレス、及び自己のリモコンＩＰアドレスと、自己のリモコンＩＤとを関連付けた稼働端末通信情報を記憶している。
【００３０】
なお、リモコン装置Ｒ２及びＲ３それぞれも、カラオケ装置とペアリングされている。この場合、各リモコン装置の情報記憶部１０ａは、稼働端末通信情報を記憶している。一方、予備端末であるリモコン装置Ｒｗの情報記憶部１０ａは、アドレス情報である自己のリモコンＩＰアドレスと、自己のリモコンＩＤとを関連付けた予備端末通信情報を記憶している。
【００３１】
［通信部・表示部・操作部］
通信部１１は、リモコン装置Ｒ１とカラオケ装置Ｋ１またはサーバ装置Ｓとを接続するためのインターフェースを提供する。表示部１２はカラオケ楽曲の検索画面等、各種表示を行うための構成である。操作部１３は、リモコン装置Ｒ１に対して各種入力を行うための構成である。
【００３２】
［制御部］
制御部１４は、リモコン装置Ｒ１における各種の制御を行う。制御部１４は、ＣＰＵおよびメモリ（いずれも図示無し）を備える。ＣＰＵは、メモリに記憶されたプログラムを実行することにより各種の機能を実現する。本実施形態において制御部１４は、信号送信部１４ａ及び変更処理部１４ｂとして機能する。
【００３３】
（信号送信部）
信号送信部１４ａは、電池残量が少ない場合、その旨の交換要求信号をサーバ装置Ｓに対して送信する。
【００３４】
カラオケルームＫＲ１においてリモコン装置Ｒ１を使用した場合、使用時間の経過に伴って電池残量が減少する。信号送信部１４ａは、リモコン装置Ｒ１の電池残量を監視し、所定値以下（たとえば、満充電を１００％とした場合に１０％以下）なった場合や稼働時間が規定値以上となった場合、交換要求信号をサーバ装置Ｓに対して送信する。
【００３５】
（変更処理部）
変更処理部１４ｂは、サーバ装置Ｓから受信した各種情報に基づいて、情報記憶部１０ａに記憶されている情報を変更する。変更処理部１４ｂの具体的な処理については後述する。
【００３６】
＝＝サーバ装置＝＝
サーバ装置Ｓは、各リモコン装置やカラオケ装置を管理するコンピュータである。図３はサーバ装置Ｓのハードウェア構成例を示す図である。サーバ装置Ｓは、記憶部２０、通信部２１、及び制御部２２を備える。各構成はインターフェース（図示なし）を介してバスＢに接続されている。
【００３７】
［記憶部］
記憶部２０は、各種のデータを記憶する大容量の記憶装置である。本実施形態に係る記憶部２０の記憶領域の一部は、情報管理部２０ａとして機能する。
【００３８】
（情報管理部）
情報管理部２０ａは、稼働端末がカラオケ装置と通信するためのペアリング情報に、当該稼働端末を識別するためのリモコン識別情報を関連付けた稼働端末通信情報、及び予備端末がサーバ装置Ｓと通信するためのアドレス情報に、当該予備端末を識別するためのリモコン識別情報を関連付けた予備端末通信情報を管理する。
【００３９】
情報管理部２０ａは、各リモコン装置から送信された稼働端末通信情報または予備端末通信情報を、リモコン装置毎に管理する。なお、これらの通信情報は、各リモコン装置で記憶されている情報と同じものである。
【００４０】
図４は、図１に示した各リモコン装置について、情報管理部２０ａで管理されている通信情報の一例を示す。図４に示したように、カラオケ装置とペアリングされているリモコン装置（リモコン装置Ｒ１〜Ｒ３）については、カラオケＩＤ、カラオケＩＰアドレス、及びリモコンＩＰアドレスからなるペアリング情報が、リモコンＩＤと関連付けられている。一方、いずれのカラオケ装置ともペアリングされていないリモコン装置Ｒｗについては、リモコンＩＰアドレスからなるアドレス情報が、リモコンＩＤと関連付けられている。
【００４１】
［通信部］
通信部２１は、サーバ装置Ｓとカラオケ装置またはリモコン装置とを接続するためのインターフェースを提供する。
【００４２】
［制御部］
制御部２２は、サーバ装置Ｓにおける各種の制御を行う。制御部２２は、ＣＰＵおよびメモリ（いずれも図示無し）を備える。ＣＰＵは、メモリに記憶されたプログラムを実行することにより各種の機能を実現する。本実施形態において制御部２２は、第１の情報送信部２２ａ、第２の情報送信部２２ｂ、及び更新処理部２２ｃとして機能する。
【００４３】
（第１の情報送信部）
第１の情報送信部２２ａは、稼働端末から電池残量が少ない旨の交換要求信号を受信した場合、予備端末に対し、当該稼働端末のペアリング情報を送信する。
【００４４】
たとえば、サーバ装置Ｓは、リモコン装置Ｒ１の信号送信部１４ａから交換要求信号を受信したとする。この場合、第１の情報送信部２２ａは、情報管理部２０ａに記憶された複数のペアリング情報の中から、リモコン装置Ｒ１のペアリング情報（リモコン装置Ｒ１がペアリングされているカラオケ装置Ｋ１のカラオケＩＤ、カラオケＩＰアドレス、及びリモコン装置Ｒ１のリモコンＩＰアドレス）を読み出す。そして、第１の情報送信部２２ａは、フロントＦに設置されたリモコン装置Ｒｗに対し、読み出したペアリング情報を送信する。
【００４５】
リモコン装置Ｒｗの変更処理部１４ｂは、サーバ装置Ｓから受信したペアリング情報に基づいて、情報記憶部１０ａに記憶されている情報を変更する。
【００４６】
上記例において、リモコン装置Ｒｗの情報記憶部１０ａには、リモコン装置Ｒｗのアドレス情報（リモコンＩＰアドレス）、及びリモコンＩＤが記憶されている。変更処理部１４ｂは、記憶されているアドレス情報を、第１の情報送信部２２ａから送信されたリモコン装置Ｒ１のペアリング情報に変更する。このようにアドレス情報をペアリング情報に変更することにより、リモコン装置Ｒｗはカラオケ装置Ｋ１とペアリングされる。すなわち、リモコン装置Ｒｗは「稼働端末」として機能するように構成される。
【００４７】
また、第１の情報送信部２２ａは、交換要求信号を送信した稼働端末に対し、予備端末のアドレス情報を送信する。
【００４８】
上記例において、第１の情報送信部２２ａは、稼働端末（リモコン装置Ｒ１）に対し、予備端末（リモコン装置Ｒｗ）のアドレス情報を送信する。
【００４９】
リモコン装置Ｒ１の変更処理部１４ｂは、サーバ装置Ｓから受信した各種情報に基づいて、情報記憶部１０ａに記憶されている情報を変更する。
【００５０】
上記例において、リモコン装置Ｒ１の情報記憶部１０ａには、カラオケ装置Ｋ１とのペアリング情報、及び自己のリモコンＩＤが記憶されている。変更処理部１４ｂは、ペアリング情報を、第１の情報送信部２２ａから送信されたリモコン装置Ｒｗのアドレス情報に変更する。このようにペアリング情報をアドレス情報に変更することにより、リモコン装置Ｒ１はカラオケ装置Ｋ１とのペアリングが解除され、サーバ装置Ｓのみと通信可能となる。すなわち、リモコン装置Ｒ１は「予備端末」として機能するように構成される。この場合、リモコン装置Ｒ１はカラオケルームで使用されることが無いため、フロントＦで充電することができる。
【００５１】
（第２の情報送信部）
第２の情報送信部２２ｂは、稼働端末がペアリングされているカラオケ装置に対し、予備端末のリモコン識別情報を送信する。
【００５２】
たとえば、上記例のように、リモコン装置Ｒ１の信号送信部１４ａから交換要求信号を受信したとする。
【００５３】
この場合、第２の情報送信部２２ｂは、情報管理部２０ａを参照し、リモコン装置Ｒ１がペアリングされているカラオケ装置Ｋ１に対し、リモコン装置ＲｗのリモコンＩＤを送信する。カラオケ装置Ｋ１は、受信したリモコン装置ＲｗのリモコンＩＤをリモコン装置Ｒ１のリモコンＩＤに変えて登録することにより、リモコン装置Ｒｗからの指示入力を受け付けることができる。
【００５４】
（更新処理部）
更新処理部２２ｃは、稼働端末のペアリング情報を送信した場合、情報管理部２０ａで管理されている稼働端末のペアリング情報に関連付けられているリモコン識別情報を、予備端末のリモコン識別情報に変更することで稼働端末通信情報を更新する。
【００５５】
上記例において、第１の情報送信部２２ａがリモコン装置Ｒｗに対し、リモコン装置Ｒ１のペアリング情報を送信したとする。
【００５６】
この場合、更新処理部２２ｃは、情報管理部２０ａで管理されているリモコン装置Ｒ１のペアリング情報に関連付けられているリモコンＩＤを、リモコン装置ＲｗのリモコンＩＤに変更する（図５参照）。この処理により、カラオケ装置Ｋ１で利用する稼働端末の稼働端末通信情報が更新される。
【００５７】
更に、更新処理部２２ｃは、稼働端末のペアリング情報を送信した場合、情報管理部２０ａで管理されている予備端末のアドレス情報に関連付けられているリモコン識別情報を当該稼働端末のリモコン識別情報に変更することで予備端末通信情報を更新することができる。
【００５８】
上記例において、第１の情報送信部２２ａがリモコン装置Ｒｗに対し、リモコン装置Ｒ１のペアリング情報を送信したとする。
【００５９】
この場合、更新処理部２２ｃは、情報管理部２０ａで管理されているリモコン装置Ｒｗのアドレス情報に関連付けられているリモコンＩＤを、リモコン装置Ｒ１のリモコンＩＤに変更する（図５参照）。この処理により、フロントＦで充電可能な予備端末の予備端末通信情報が更新される。
【００６０】
なお、リモコン装置Ｒ１が「予備端末」としてフロントＦに設置されている状態において、ある稼働端末からサーバ装置Ｓに対して交換要求信号が送信されることもある。この場合、上記と同様の処理を経ることにより、リモコン装置Ｒ１は再び「稼働端末」として機能する。
【００６１】
＝＝ペアリングシステムにおける処理について＝＝
次に、図６を参照して本実施形態に係るペアリングシステム１における処理の具体例について述べる。図６は、ペアリングシステム１における処理例を示すフローチャートである。この例では、リモコン装置Ｒ１（稼働端末）、及びリモコン装置Ｒｗ（予備端末）の２つのリモコン装置を例に説明する。また、リモコン装置Ｒ１の情報記憶部１０ａには、  リモコン装置Ｒ１がカラオケ装置Ｋ１と通信するためのペアリング情報に、自己のリモコンＩＤを関連付けた稼働端末通信情報が記憶されている。リモコン装置Ｒｗの情報記憶部１０ａには、リモコン装置Ｒｗがサーバ装置Ｓと通信するためのアドレス情報に、自己のリモコンＩＤを関連付けた予備端末通信情報が記憶されている。更に、サーバ装置Ｓの情報管理部２０ａには、リモコン装置Ｒ１の稼働端末通信情報、及びリモコン装置Ｒｗの予備端末通信情報が管理されている。
【００６２】
リモコン装置Ｒ１の電池残量が少なくなった場合、信号送信部１４ａは、その旨の交換要求信号をサーバ装置Ｓに対して送信する（交換要求信号の送信。ステップ１０）。
【００６３】
リモコン装置Ｒ１から電池残量が少ない旨の交換要求信号を受信した場合、サーバ装置Ｓの第１の情報送信部２２ａは、情報管理部２０ａからリモコン装置Ｒ１のペアリング情報を読み出し、リモコン装置Ｒｗに送信する（ペアリング情報の送信。ステップ１１）。
【００６４】
リモコン装置Ｒｗの変更処理部１４ｂは、ステップ１１でサーバ装置Ｓから送信されたペアリング情報に基づいて、情報記憶部１０ａに記憶されているアドレス情報を、当該ペアリング情報に変更する（アドレス情報をペアリング情報に変更。ステップ１２）。この処理に伴い、リモコン装置Ｒｗは稼働端末として機能する。
【００６５】
また、第１の情報送信部２２ａは、交換要求信号を送信したリモコン装置Ｒ１に対し、リモコン装置Ｒｗのアドレス情報を送信する（アドレス情報の送信。ステップ１３）。
【００６６】
リモコン装置Ｒ１の変更処理部１４ｂは、ステップ１３でサーバ装置Ｓから送信されたアドレス情報に基づいて、情報記憶部１０ａに記憶されているペアリング情報を、当該アドレス情報に変更する（ペアリング情報をアドレス情報に変更。ステップ１４）。この処理に伴い、リモコン装置Ｒ１は予備端末として機能する。
【００６７】
なお、リモコン装置Ｒ１に記憶されているペアリング情報をアドレス情報に変更するタイミングとしては、サーバ装置Ｓから送信されたアドレス情報をリモコン装置Ｒ１が受信してから所定時間が経過した後、或いは、アドレス情報をリモコン装置R１が受信した後、リモコン装置Ｒ１から利用者よる変更指示がなされた時などである。
【００６８】
一方、第２の情報送信部２２ｂは、リモコン装置Ｒ１がペアリングされているカラオケ装置Ｋ１に対し、リモコン装置ＲｗのリモコンＩＤを送信する（カラオケ装置にリモコンＩＤを送信。ステップ１５）。
【００６９】
そして、サーバ装置Ｓの更新処理部２２ｃは、ステップ１１でリモコン装置Ｒ１のペアリング情報を送信した場合、情報管理部２０ａで管理されているリモコン装置Ｒ１のペアリング情報に関連付けられているリモコンＩＤを、リモコン装置ＲｗのリモコンＩＤに変更することで稼働端末通信情報を更新する（稼働端末通信情報の更新。ステップ１６）。
【００７０】
また、更新処理部２２ｃは、ステップ１３でリモコン装置Ｒｗのアドレス情報を送信した場合、情報管理部２０ａで管理されているリモコン装置Ｒｗのアドレス情報に関連付けられているリモコンＩＤをリモコン装置Ｒ１のリモコンＩＤに変更することで予備端末通信情報を更新する（予備端末通信情報の更新。ステップ１７）。
【００７１】
以上から明らかなように、本実施形態に係るサーバ装置Ｓは、あるカラオケ装置とペアリングされ、利用可能となっている稼働端末（リモコン装置Ｒ１〜Ｒ３）、及びいずれのカラオケ装置ともペアリングされていない予備端末（リモコン装置Ｒｗ）を含む複数のリモコン装置とあるカラオケ装置を管理する。サーバ装置Ｓは、稼働端末がカラオケ装置と通信するためのペアリング情報に、当該稼働端末を識別するためのリモコンＩＤを関連付けた稼働端末通信情報、及び予備端末がサーバ装置Ｓと通信するためのアドレス情報に、当該予備端末を識別するためのリモコンＩＤを関連付けた予備端末通信情報を管理する情報管理部２０ａと、稼働端末から電池残量が少ない旨の交換要求信号を受信した場合、予備端末に対し、当該稼働端末のペアリング情報を送信する第１の情報送信部２２ａと、稼働端末がペアリングされているカラオケ装置に対し、予備端末のリモコンＩＤを送信する第２の情報送信部２２ｂと、稼働端末のペアリング情報を送信した場合、情報管理部２０ａで管理されている稼働端末のペアリング情報に関連付けられているリモコンＩＤを、予備端末のリモコンＩＤに変更することで稼働端末通信情報を更新する更新処理部２２ｃと、を有する。
【００７２】
このようなサーバ装置Ｓによれば、リモコン装置から交換要求信号を受信した場合、予備端末に対してペアリング情報を提供することにより、当該予備端末を稼働端末として機能させることができる。従って、カラオケ店舗の従業員は、カラオケルームにあるリモコン装置（稼働端末）をフロントにあるリモコン装置（予備端末）と取り換えるだけでよく、ペアリングの作業が不要となる。すなわち、本実施形態に係るサーバ装置Ｓによれば、使用中のリモコン装置が電池切れになりそうな場合に、予備のリモコン装置とカラオケ装置とのペアリングを容易に行うことができる。
【００７３】
また、本実施形態に係る第１の情報送信部２２ａは、交換要求信号を送信した稼働端末に対し、予備端末のアドレス情報を送信し、更新処理部２２ｃは、予備端末のアドレス情報を送信した場合、情報管理部２０ａで管理されている予備端末のアドレス情報に関連付けられているリモコンＩＤを当該稼働端末のリモコンＩＤに変更することで予備端末通信情報を更新する。
【００７４】
このように、交換要求信号を送信した稼働端末に対して、予備端末のアドレス情報を提供することにより、当該稼働端末を予備端末として機能させることができる。交換要求信号を送信した稼働端末は、充電残量が少なくなった端末である。そこで、当該稼働端末を予備端末として機能させることにより、フロントＦにおいて直ぐに充電することが可能となる。
【００７５】
更に、本実施形態に係るペアリングシステム１は、あるカラオケ装置とペアリングされ、利用可能となっている稼働端末、及びいずれのカラオケ装置ともペアリングされていない予備端末を含む複数のリモコン装置と、各リモコン装置とあるカラオケ装置を管理するサーバ装置Ｓとを有する。複数のリモコン装置は、稼働端末がカラオケ装置と通信するためのペアリング情報に、当該稼働端末を識別するためのリモコンＩＤを関連付けた稼働端末通信情報、または予備端末がサーバ装置Ｓと通信するためのアドレス情報に、当該予備端末を識別するためのリモコンＩＤを関連付けた予備端末通信情報のいずれかを記憶する情報記憶部１０ａと、電池残量が少ない場合、その旨の交換要求信号をサーバ装置Ｓに対して送信する信号送信部１４ａと、サーバ装置Ｓから受信した各種情報に基づいて、情報記憶部１０ａに記憶されている情報を変更する変更処理部１４ｂと、を有する。サーバ装置Ｓは、稼働端末通信情報及び予備端末通信情報を管理する情報管理部２０ａと、稼働端末から電池残量が少ない旨の交換要求信号を受信した場合、予備端末に対し、当該稼働端末のペアリング情報を送信する第１の情報送信部２２ａと、稼働端末がペアリングされているカラオケ装置に対し、予備端末のリモコンＩＤを送信する第２の情報送信部２２ｂと、稼働端末のペアリング情報を送信した場合、情報管理部２０ａで管理されている稼働端末のペアリング情報に関連付けられているリモコンＩＤを、予備端末のリモコンＩＤに変更することで稼働端末通信情報を更新する更新処理部２２ｃと、を有する。このようなペアリングシステム１によれば、使用中のリモコン装置が電池切れになりそうな場合に、予備のリモコン装置とカラオケ装置とのペアリングを容易に行うことができる。
【００７６】
＜変形例＞
上記実施形態の構成において、第１の情報送信部２２ａからリモコン装置に対してペアリング情報またはアドレス情報を送信したとしても、何らかの理由によりリモコン装置側で情報の変更ができない可能性がある。そこで、予めテスト信号を送信し、リモコン装置から返信があった場合にのみ、稼働端末通信情報または予備端末通信情報の更新を行うようにすることが好ましい。
【００７７】
具体的には、図７に示すように、本変形例に係るサーバ装置Ｓの制御部２２は、第１の情報送信部２２ａ、第２の情報送信部２２ｂ、更新処理部２２ｃ、及び判定部２２ｄとして機能する。
【００７８】
判定部２２ｄは、ペアリング情報またはアドレス情報が送信された各リモコン装置に対し、通信可能な状態にあるかを確認するためのテスト信号を送信し、各リモコン装置から返信があった場合に通信可能な状態にあると判定する。
【００７９】
たとえば、第１の情報送信部２２ａがリモコン装置Ｒｗに対してペアリング情報を送信し、且つリモコン装置Ｒ１に対してアドレス情報を送信したとする。その後、判定部２２ｄは、リモコン装置Ｒｗ及びリモコン装置Ｒ１に対してテスト信号を送信する。リモコン装置Ｒｗ及びリモコン装置Ｒ１それぞれは、ペアリング情報またはアドレス情報の変更が完了し、通信可能な状態にある場合には、サーバ装置Ｓに対して返信を行う。判定部２２ｄは、返信があった場合に各リモコン装置が通信可能な状態にあると判定する。
【００８０】
更新処理部２２ｃは、通信可能な状態にあると判定された場合に、稼働端末通信情報または予備端末通信情報を更新する。
【００８１】
上記例において、リモコン装置Ｒｗ及びリモコン装置Ｒ１の双方から返信があった場合、いずれのリモコン装置も通信可能な状態ある。そこで、更新処理部２２ｃは、情報管理部２０ａで管理される稼働端末通信情報と予備端末通信情報を更新する。
【００８２】
このような構成によれば、リモコン装置が利用できない状態でサーバ装置Ｓの情報管理部２０ａの情報が更新されることを防止できる。
【００８３】
＜その他＞
フロントＦにおいて予備端末が複数設けられている場合、サーバ装置Ｓの情報管理部２０ａは、各リモコンＩＤに充電開始時刻を関連付けて管理することもできる。そして、稼働端末から交換要求信号の送信があった場合、サーバ装置Ｓの第１の送信部２２ａは、充電開始時刻の最も古い予備端末に対して稼働端末のペアリング情報を送信する。このように、充電開始時刻が古い予備端末に対してペアリング情報を送信することにより、充電残量が最も多い予備端末を稼働端末として利用することができる。
【００８４】
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８５】
１  ペアリングシステム
１０ａ  情報記憶部
１４ａ  信号送信部
１４ｂ  変更処理部
２０ａ  情報管理部
２２ａ  第１の情報送信部
２２ｂ  第２の情報送信部
２２ｃ  更新処理部
Ｋ１〜Ｋ３  カラオケ装置
ＫＲ１〜ＫＲ３  カラオケルーム
Ｒ１〜Ｒ３  リモコン装置（稼働端末）
Ｒｗ  リモコン装置（予備端末）
Ｓ  サーバ装置
【図１】
2019191471.tif 000003
【図２】
2019191471.tif 000004
【図３】
2019191471.tif 000005
【図４】
2019191471.tif 000006
【図５】
2019191471.tif 000007
【図６】
2019191471.tif 000008
【図７】
2019191471.tif 000009